(57)【要約】【課題】内容物の取り出しが容易で、かつ、小物の持ち運びが容易な収納ケースを提供する。【解決手段】内容物を収容可能な収容部を有する本体ケース３と、本体ケース３の収容部を開閉するための蓋体４と、を備え、蓋体４に本体ケース３に収容された内容物を出し入れするための開口４Ａを形成し、開口４Ａを閉塞可能な小物入れを蓋体４に着脱自在に備えている。【選択図】図５
2018012144.tif 000002
【特許請求の範囲】
【請求項１】
内容物を収容可能な収容部を有する本体ケースと、該本体ケースの収容部を開閉するための蓋体と、を備え、該蓋体に前記本体ケースに収容された内容物を出し入れするための開口を形成し、該開口を閉塞可能な小物入れを前記蓋体に着脱自在に備えていることを特徴とする収納ケース。
【請求項２】
前記内容物は、電動工具本体とその付属品とを含み、前記開口は、前記付属品が前記収容部に対して出し入れできるように形成されていることを特徴とする請求項１に記載の収納ケース。
【請求項３】
前記本体ケースは、前記収容部の底面となる本体底面を備え、前記蓋体は、前記本体底面に対向配置されて前記開口が形成される蓋体天面を備え、前記小物入れが、前記蓋体天面の面方向に沿ってスライドするように構成されていることを特徴とする請求項１又は２に記載の収納ケース。
【請求項４】
前記本体ケース又は蓋体が直線状の一辺を備え、該本体ケース又は蓋体の前記一辺に把手が設けられ、前記一辺に沿って前記小物入れがスライドするように構成されていることを特徴とする請求項１〜３のうちのいずれか１項に記載の収納ケース。
【発明の詳細な説明】
【技術分野】
【０００１】
本発明は、内容物を収容可能な収容部を有する本体ケースと、該本体ケースの収容部を開閉するための蓋体と、を備えている収納ケースに関する。
【背景技術】
【０００２】
上記収納ケースの一例として、電動ドリル、電動ドライバー、電動ドライバードリルを含む手持ち式の電動工具を収容するための電動工具収納ケースが挙げられる。この電動工具収納ケースは、電動工具の他、電動工具に搭載されて電動工具を駆動するための電源となるバッテリ（蓄電池）及びこのバッテリを充電するための充電器を含む内容物を収容することができる収容部を有する本体ケースと、本体ケースの収容部を開閉するための回動自在に取り付けられた蓋ケースと、を備えている。
【０００３】
前記蓋ケースは、電動工具の先端に取り付けられている先端工具とは別の交換用の先端工具や各種のボルト（ねじ）を含む小物を収容可能な収容部を備える蓋本体と、蓋本体の収容部を開閉するための回動自在なカバーと、を備えている。前記本体ケースと蓋ケースとは、固定ラッチにより閉じ状態で固定される（例えば、特許文献１参照）。
【先行技術文献】
【特許文献】
【０００４】
【特許文献１】特開２０１０−６４２２７号公報
【発明の概要】
【発明が解決しようとする課題】
【０００５】
ところで、電動工具をバッテリにより駆動する構成では、バッテリを満充電しても、電動工具を所定時間使用することで充電量を使い切ってバッテリが消耗してしまうため、作業途中で電動工具を使用することができなくなる。そのため、予備のバッテリを充電器と一緒に本体ケースに収容して充電ができる交流電源のある場所まで持ち込んでいる。そして、電動工具を所定時間使用して充電量を使い切ってバッテリが消耗すると、固定ラッチの固定を解除して蓋ケースを全開にした後、本体ケースから充電器と予備のバッテリを取り出す。続いて、電動工具から消耗したバッテリを取り外すとともに、予備のバッテリを電動工具に取り付ける。それと同時に、ケースから取り出した充電器に消耗したバッテリを装着してから、充電器のプラグをコンセントに差し込んで充電を行うことになる。
【０００６】
このような作業においては、本体ケースから充電器と予備のバッテリとを取り出すために固定ラッチの固定を解除して蓋ケースを全開にする開放作業が煩わしいという不都合があった。
【０００７】
また、先端工具や各種のボルト（ねじ）を含む小物は、蓋ケースに収容されているので、小物を持ち運ぶためには、収納ケースを作業場所まで持ち運ぶ必要があり、煩わしいという不都合もあった。
【０００８】
そこで、本発明は、かかる事情に鑑みてなされたもので、内容物の取り出しが容易で、かつ、小物の持ち運びが容易な収納ケースを提供することを課題とする。
【課題を解決するための手段】
【０００９】
本発明に係る収納ケースは、内容物を収容可能な収容部を有する本体ケースと、該本体ケースの収容部を開閉するための蓋体と、を備え、該蓋体に前記本体ケースに収容された内容物を出し入れするための開口を形成し、該開口を閉塞可能な小物入れを前記蓋体に着脱自在に備えていることを特徴とする。
【００１０】
本発明によれば、蓋体を本体ケースに対して開放しなくても、小物入れを取り外すだけで、開口が露出するので、開口を通して内容物を容易に取り出すことができる。また、小物入れを蓋体に着脱自在に備えているので、小物入れを取り外して作業場所まで容易に持ち運ぶことができる。
【００１１】
また、本発明に係る収納ケースは、前記内容物が、電動工具本体とその付属品とを含み、前記開口は、前記付属品が前記収容部に対して出し入れできるように形成されていることが好ましい。
【００１２】
かかる構成によれば、電動工具本体の使用中に、開口を通して電動工具本体の付属品を容易に出し入れすることができる。
【００１３】
また、本発明に係る収納ケースは、前記本体ケースが、前記収容部の底面となる本体底面を備え、前記蓋体は、前記本体底面に対向配置されて前記開口が形成される蓋体天面を備え、前記小物入れが、前記蓋体天面の面方向に沿ってスライドするように構成されていることが好ましい。
【００１４】
かかる構成によれば、小物入れが、蓋体天面の面方向に沿ってスライドするように構成されているので、小物入れの着脱操作がし易い。また、小物入れのスライド量を調整することによって、開口の大きさを調整することができるので、例えば充電器にバッテリを装着して本体ケース内で充電する場合に、充電器の電源コードが通るだけの大きさの開口になるように、小物入れをスライドさせて調整することができる。これにより、本体ケース内に塵が入り難い状態での充電を実現することができる。
【００１５】
また、本発明に係る収納ケースは、前記本体ケース又は蓋体が直線状の一辺を備え、該本体ケース又は蓋体の前記一辺に把手が設けられ、前記一辺に沿って前記小物入れがスライドするように構成されていることが好ましい。
【００１６】
かかる構成によれば、把手が設けられた一辺に沿って小物入れがスライドするように構成されているので、把手を持って収納ケースを持ち運ぶときに、小物入れのスライド方向が上下方向と直交する方向になるため、小物入れが不測にスライドして蓋体から脱落することがなく、安全に使用することができる。
【発明の効果】
【００１７】
以上の如く、本発明によれば、蓋体に本体ケースに収容された内容物を出し入れするための開口を形成し、その開口を閉塞可能な小物入れを蓋体に着脱自在に備えることによって、内容物の取り出しが容易で、かつ、小物の持ち運びが容易な収納ケースを提供することができる。
【図面の簡単な説明】
【００１８】
【図１】本発明の一実施形態に係る電動工具収納ケースの斜視図である。
【図２】同電動工具収納ケースの平面図である。
【図３】小物入れを外した同電動工具収納ケースの平面図である。
【図４】蓋体を取り外した本体ケースの平面図である。
【図５】小物入れを外した同電動工具収納ケースの斜視図である。
【図６】図２におけるＡ−Ａ線断面図である。
【図７】図２におけるＢ−Ｂ線断面図である。
【図８】図２におけるＣ−Ｃ線断面図であり、（ａ）はバックルをロックした状態を示し、（ｂ）はバックルをロック解除した状態を示している。
【図９】蓋ケースを開放した状態を示す同電動工具収納ケースの斜視図である。
【図１０】蓋ケースに装着している小物入れであり、（ａ）は蓋部を閉じた状態の斜視図、（ｂ）は蓋部を開放した状態の斜視図である。
【図１１】他の形態の電動工具収納ケースであり、（ａ）は短辺方向両端に備えるバックルをロックした状態を示し、（ｂ）は短辺方向両端に備えるバックルをロック解除した状態を示している。
【図１２】図１１の電動工具収納ケースの蓋ケースを本体ケースに対して取り外した状態を示す斜視図である。
【図１３】小物入れのスライド構造が異なる他の形態の電動工具収納ケースであり、（ａ）は小物入れを少しスライドさせた状態を示す斜視図、（ｂ）は小物入れを取り外した本体ケースの斜視図である。
【図１４】図１３の電動工具収納ケースのスライド構造を示す縦断面図であり、（ａ）は小物入れを装着した状態を示し、（ｂ）は小物入れを装着する直前の状態を示している。
【図１５】小物入れの構成が異なる他の形態の電動工具収納ケースの分解斜視図である。
【発明を実施するための形態】
【００１９】
以下、本発明に係る収納ケースの一実施形態について、図面に基づいて説明する。図１〜図８に、収納ケースの一例としての電動工具収納ケース１を示している。この電動工具収納ケース１は、図２に示すように、平面視略長方形状（略正方形であってもよい）に構成されており、内容物である電動工具本体２とその付属品とを収容可能な収容部を有する合成樹脂製の本体ケース３と、本体ケース３の収容部を開閉するための合成樹脂製の蓋体４と、を備えている。ここでは、電動工具本体２に駆動用のバッテリ５を装着した手持ち式の電動工具を示している。電動工具としては、電動ドリル、電動ドライバー、電動ドライバードリルの他、手持ち式の各種の電動工具が含まれる。
【００２０】
本体ケース３は、図３及び図４に示すように、収容部の底面となる略フラットで略長方形状の本体底面３Ａと、本体底面３Ａの外周縁から上方に立ち上がった周壁部３Ｂと、を備えた一側方（図では上方）が開放された箱型形状に構成されている。本体底面３Ａの長手方向略中央部に、バッテリ５が装着された電動工具本体２を収容する略逆Ｔ字形状の第１収容部６と充電器７及び予備のバッテリ８を含む付属品を収容する第２収容部９とを区画する第１区画壁部１０を立設している。この第１区画壁部１０は、本体底面３Ａの短辺方向に延びてから本体底面３Ａの長辺方向に延びており、平面視で略Ｌ字形状に形成されている。また、第１収容部６内で電動工具本体２が移動しないように第１区画壁部１０の左側に隣り合う位置、つまり本体底面３Ａの長手方向一端部（第２収容部９から離間する側の端部）に、第２区画壁部１１を立設している。更に、第１区画壁部１０には、第２区画壁部１１側に突出する突出壁部１０Ａを備えており、運搬時において本体ケース３に収容した電動工具本体２が不測に移動することがないようにしている。
【００２１】
また、図１及び図５に示すように、本体ケース３の対向位置する２辺の直線状の長辺のうちの一方の長辺に、略コの字形状の把手１２を長辺方向と平行な軸心周りで回動可能に取り付けている。更にまた、第１収容部６と第２収容部９とが、後述する小物入れ１３のスライド方向に隣り合うように配置されている。本体ケース３の周壁部３Ｂの内側面と第２区画壁部１１とで第３収容部１１Ａを形成している。ここでは、本体ケース３に把手１２を取り付けているが、蓋体４に把手１２を取り付けてもよい。
【００２２】
蓋体４は、図３及び図５に示すように、短辺方向両端に配置され上方に突出する天面（上面）４１ａをそれぞれ備える一対の外枠部４１，４１と、これら外枠部４１，４１の天面４１ａ，４１ａよりも低い天面（上面）４２ａをそれぞれ備えるとともに外枠部４１，４１を短辺方向で連結すべく長辺方向両端に配置された一対の連結部４２，４２と、を備えている。尚、把手１２が配置されている側の天面４１ａの一部は、後述するバックル１４で構成されている。また、蓋体４には、一対の外枠部４１，４１の天面４１ａ，４１ａから下方に垂下する内側壁部４１Ａ，４１Ａの下端部内面と一対の連結部４２，４２の天面４２ａ，４２ａの内縁とで囲まれる略長方形状の開口４Ａを備えている。この開口４Ａは、本体ケース３に収容された付属品である充電器７及び予備のバッテリ８が出し入れできる大きさに構成されている。尚、一対の外枠部４１，４１の天面４１ａ，４１ａと一対の連結部４２，４２の天面４２ａ，４２ａとで蓋体天面を構成している。そして、開口４Ａは、合成樹脂製の小物入れ１３によって閉塞される。この小物入れ１３は、長方形状に構成され、蓋体４に着脱自在に取り付けられている。
【００２３】
このように小物入れ１３が蓋体４に着脱可能に備えているので、蓋体４を本体ケース３に対して開放しなくても、小物入れ１３を取り外すだけで、開口４Ａが露出し、電動工具本体２の使用中に、開口４Ａを通して充電器７及び予備のバッテリ８（付属品）を容易に取り出すことができる。また、小物入れ１３を取り外して作業場所まで容易に持ち運ぶことができる。また、前述したように、一対の連結部４２，４２の天面４２ａ，４２ａが一対の外枠部４１，４１の天面４１ａ，４１ａよりも低い位置に位置しているため、一対の連結部４２，４２の間に小物入れ１３が装着されることによって、図６に示すように、小物入れ１３の天面１３ａが突出することなく、一対の外枠部４１，４１の天面４１ａ，４１ａと略同一高さにすることができる。
【００２４】
また、蓋体４は、図８（ａ），（ｂ）及び図９に示すように、本体ケース３の短辺方向一端（把手１２とは反対側端）に、長辺方向に沿う軸芯Ｘ１回りで回動自在に取り付けられている。更にまた、図１、図８（ａ），（ｂ）及び図９に示すように、蓋体４の短辺方向他端（把手１２と同一端）に蓋体４を本体ケース３に閉じた状態を保持するためのバックル１４を備えている。このバックル１４は、蓋体４の長辺方向略両端に亘る長さを有し、蓋体４に長辺方向の軸心Ｘ２（図８（ａ），（ｂ）参照）回りで回動可能に取り付けられている。また、バックル１４の長辺方向両端部に、本体ケース３に備える棒状の一対の被係止部１５，１５に係止する係止部である凹部１４Ａ，１４Ａを備えている。従って、図８（ａ）では、バックル１４の凹部１４Ａ，１４Ａ（図８（ａ）では一方のみ図示）が本体ケース３の被係止部１５，１５（図８（ａ）では一方のみ図示）に係止した係止状態になっている。この状態から、図８（ｂ）に示すようにバックル１４を掴んで反時計回りに回転させることによって、係止を解除することができる。この状態において図９に示すように蓋体４を開放することができる。
【００２５】
小物入れ１３は、図１０（ａ），（ｂ）に示すように、小物を収容するための小物収容部を有する小物本体部１６と、この小物本体部１６の長手方向一端にヒンジ１８を介して開閉自在に取り付けられる蓋部材１７と、を備えている。尚、小物は、電動工具の先端に取り付けられている先端工具とは別の交換用の先端工具や各種のボルト（ねじ）を含む。そして、蓋部材１７を閉じることによって、小物本体部１６に備えるピン１９に蓋部材１７に備える係止部（図示せず）が係止することで蓋部材１７を閉じ状態に保持するように構成されている。この係止を解除する場合には、ピン１９と一体化されている押しボタン２０を押すことによって、係止部（図示せず）からピン１９が係止解除する。小物本体部１６及び蓋部材１７は、長手方向他端部（ヒンジ１８とは反対側の端部）に互いに接近する側に突出する環状のリブ２１，２２を備え、蓋部材１７を閉じることによって、リブ２１，２２同士が突き合わされて内部に指を挿入可能な空間２３を形成して把手２３Ａを構成している。
【００２６】
小物本体部１６は、略長方形状の底部１６Ａと、この底部１６Ａの３辺から立ち上がる３つの側壁部１６Ｂ，１６Ｃ，１６Ｄと、を備えている。互いに対向する長辺の２辺に設けられた側壁部１６Ｂ，１６Ｄの下側のそれぞれには、長辺方向に沿うガイド溝１６Ｍ（図１０では一方のみ図示している）が形成されている。各ガイド溝１６Ｍは、直線状の溝からなり、小物本体部１６の長辺方向一端から他端の手前までの範囲に形成されている。これらガイド溝１６Ｍ，１６Ｍが外枠部４１，４１の内側壁部４１Ａ，４１Ａに形成される内側に突出するガイド用凸条４１Ｔ，４１Ｔに係合して小物入れ１３を直線状に案内するようにしている。ガイド用凸条４１Ｔ，４１Ｔは、内側壁部４１Ａ，４１Ａの下側に配置され、連結部４２，４２の内側端縁間に亘るように長手方向に沿って直線状に形成されている。
【００２７】
また、図７及び図１０（ｂ）に示すように、小物本体部１６の下面の四隅のそれぞれに、上方に抉られた略円弧形状の凹部１６Ｅが形成されている。これら４個の凹部１６Ｅに係合する弾性部材（ここでは板バネ）からなる略円弧形状の４個の係合部材２４のうちの２個を、一方の連結部４２に備えるとともに、残る２個の係合部材２４を、他方の連結部４２に備えている。従って、小物本体部１６のガイド溝１６Ｍ，１６Ｍをガイド用凸条４１Ｔ，４１Ｔに係合した状態で小物入れ１６を蓋体４の連結部４２，４２の天面４２ａ，４２ａに沿って（具体的には、電動工具収納ケース１の長辺方向に沿って）スライドさせることによって、小物本体部１６の下面が４個の係合部材２４に当接して４個の係合部材２４を下方へ押し下げながら移動する。この移動中に、小物本体部１６の下面の４個の凹部１６Ｅが４個の係合部材２４に位置すると、押し下げられていた４個の係合部材２４が上方へ突出して４個の凹部１６Ｅに４個の係合部材２４が係合し、この位置で蓋体４に小物入れ１３が固定される状態になる。
【００２８】
前記固定状態から小物入れ１３の把手２３Ａを掴んで電動工具収納ケース１の長辺方向に沿って引っ張ることによって、前記係合が解除され、更に引っ張ることによって、小物本体部１６のガイド溝１６Ｍ，１６Ｍがガイド用凸条４１Ｔ，４１Ｔから係合解除され、小物入れ１３を蓋体４から取り外すことができる。把手１２が設けられた一辺に沿って小物入れ１３がスライドするように構成されているので、把手１２を持って電動工具収納ケース１を持ち運ぶときに、小物入れ１３のスライド方向が上下方向と直交する水平方向になるため、小物入れ１３が不測にスライドして蓋体４から脱落することがなく、安全に使用することができる。また、小物入れ１３が、蓋体４の連結部４２，４２の天面４２ａ，４２ａに沿ってスライドするように構成されているので、小物入れの着脱操作がし易い。また、小物入れのスライド量を調整することによって、開口４Ａの大きさを調整することができるので、例えば図３に示すように、充電器７にバッテリ８を装着して本体ケース３内で充電する場合に、充電器７の電源コードが通るだけの大きさの開口になるように、小物入れ１３をスライドさせて調整することができる。これにより、本体ケース３内に塵が入り難い状態での充電を実現することができる。
【００２９】
また、小物入れ１３は、図２に示すように、把手２３Ａが右端に位置する状態で蓋体４に装着されているが、把手２３Ａが左端に位置する状態で蓋体４に装着することもできる。図２の第１状態では、把手２３Ａを掴んで右側に引っ張ることで小物入れ１３を右側にスライドさせて蓋体４から小物入れ１３を取り外すことになる。これに対して、把手２３Ａが左端に位置する状態で装着した第２状態（図示せず）では、把手２３Ａを掴んで左側に引っ張ることで小物入れ１３を左側にスライドさせて蓋体４から小物入れ１３を取り外すことになる。前記第２状態に装着している場合には、小物入れ１３を左側にスライドさせると、充電器７と予備のバッテリ８とを収容している第２収容部９が先に開口されるため、小物入れ１３を取り外すまでスライドさせなくても第２収容部９に収容されている充電器７と予備のバッテリ８を取り出すことができる。よって、第２収容部９に収容されている充電器７と予備のバッテリ８を取り出すために必要となるスライド量を少なく済ませることができるので、充電器７と予備のバッテリ８の取り出し時間の短縮化を図ることができる。
【００３０】
尚、本発明に係る収納ケースは、上記実施形態に限定されるものではなく、本発明の要旨を逸脱しない範囲で種々の変更が可能である。
【００３１】
例えば、図１１（ａ），（ｂ）及び図１２に示すように、蓋体４の短辺方向両端に、バックル２５，２６を備えた電動工具収納ケース１であってもよい。２個のバックル２５，２６は、同一構成であり、各バックル２５又は２６は、蓋体４の長辺方向略全域よりも少し短い寸法に構成され、蓋体４に長辺方向の軸心Ｘ３回りで回動可能に取り付けられている。また、各バックル２５又は２６の長辺方向両端部に、これに対応する本体ケース３の位置に備える棒状の一対の被係止部２７，２７又は２７，２７に係止する係止部である凹部２５Ａ，２５Ａ又は２６Ａ，２６Ａを備えている。従って、図１１（ａ）では、２個のバックル２５，２６の凹部２５Ａ，２６Ａが本体ケース３の被係止部２７，２７に係止した係止状態になっている。この状態から、図１１（ｂ）に示すように、右側のバックル２６を掴んで時計回りに回転させるとともに、左側のバックル２５を掴んで反時計回りに回転させることによって、２個のバックル２５，２６の係止を解除することができる。この状態において図１２に示すように蓋体４を上方へ持ち上げることによって、蓋体４を本体ケース３から取り外すことができる。２個のバックル２５，２５の内、一方のバックルのみ係止を解除すれば、他方のバックルが係止する被係止部２７を中心として蓋体４を回動させて開放することができる。
【００３２】
また、図５では、小物入れ１３の直線状のガイド溝１６Ｍ，１６Ｍが外枠部４１，４１の内側壁部４１Ａ，４１Ａに内側に突出する直線状のガイド用凸条４１Ｔ，４１Ｔに係合して小物入れ１３を直線状に案内したが、図１３（ａ），（ｂ）及び図１４（ａ），（ｂ）に示すように、外枠部４１，４１の内側壁部４１Ａ，４１Ａに複数（図では３個であるが、２個又は４個以上でもよい）のガイド用突起２８を長辺方向に所定間隔を置いて備え、これらガイド用突起２８に案内されながら小物入れ１３を移動させるためのガイド部２９を小物入れ１３に備えるように構成することもできる。この構成においては、前記ガイド部２９は、小物本体部１６の幅方向（短辺方向）両端にそれぞれ形成され、小物入れ１３の蓋体４への装着時には、小物入れ１３を下方へ案内したのち水平方向に案内し、かつ、蓋体４に装着された小物入れ１３を取り外す時には、小物入れ１３を水平方向に案内したのち上方へ案内するように、把手２３Ａから離れる側ほど下方に位置する傾斜面２９Ａと、この傾斜面２９Ａの上端から把手２３Ａに向かう側に延びる水平面を有する凹形状部２９Ｂと、を備えている。そして、図１４（ａ）に示すように、小物入れ１３の蓋体４への装着時は、ガイド用突起２８と凹形状部２９Ｂとが係合することで、小物入れ１３の蓋体４への装着位置が規定される。小物入れ１３を蓋体４から取り外すときは、把手２３Ａを掴んで小物入れ１３を図１４（ａ）の右側へ引くと、小物入れ１３の水平方向への移動によってガイド用突起２８と凹形状部２９Ｂとの係合が解除され、さらに、傾斜面２９Ａにより小物入れ１３が上方へ移動する（図１４（ｂ）参照）。この状態で小物入れ１３を上方へ取り外すことができる。また、取り外した小物入れ１３を蓋体４に装着する時には、図１４（ｂ）に示す状態から、小物入れ１３を、図１４（ｂ）の左側に移動させることによって、傾斜面２９Ａにより小物入れ１３を下方へ移動させたのち、凹形状部２９Ｂが有する水平面により水平方向に小物入れ１３を所定距離だけ移動させることで、ガイド用突起２８と凹形状部２９Ｂとが係合して小物入れ１３の蓋体４への装着位置が規定されると共に、小物本体部１６の４つの凹部１６Ｅが、４つの係合部材２４に係合して小物入れ１３が蓋体４に固定される。
【００３３】
前記実施形態では、小物入れ１３が本体ケース３に着脱自在に取り付けられ、その小物入れ１３を取り外すことによって、蓋体４の開口４Ａが露出するようになっているが、図１５に示すように構成してもよい。つまり、小物入れ１３を蓋体４の開口４Ａを閉じるトレー３０から構成し、その開口４Ａにセットされたトレー３０の上方を閉じるとともにトレー３０を開口４Ａに保持させるための略長方形状の開閉可能なカバー部材３１を備えている。トレー３０は、面積だけでなく深さを異ならせることで大小多数の体積を有する収容部３０Ａを備え、上方が開放された構成である。カバー部材３１の長手方向一端が、本体ケース３の把手１２とは反対側の長辺端に長辺方向に沿う軸心回りで回動可能に取り付けられており、カバー部材３１を開閉できるようにしている。また、カバー部材３１の長手方向他端に、本体ケース３に備える一対の爪部３２，３２に係止してカバー部材３１を閉じた状態に保持するための一対の係止部材３３，３３を備えている。従って、本体ケース３に備える一対の爪部３２，３２との係止を解除してカバー部材３１を開放させてから、蓋体４の開口４Ａの縁部に載置しているトレー３０を持ち上げて蓋体４から取り除くことによって、開口４Ａを露出させることができる。この状態で、開口４Ａを通して付属品（充電器やバッテリ）を外部へ取り出すことができる。
【００３４】
また、前記実施形態では、電動工具収納ケース１を略長方形状に構成したが、略正方形や略楕円形状あるいは略円形状に構成してもよく、形状はどのような形状であってもよい。
【００３５】
また、前記実施形態では、小物入れ１３をスライドさせて蓋体４に対して着脱させるようにしたが、蓋体４の開口４Ａに向けて小物入れ１３を押し込むことによって係止固定し、開口４Ａから離間する側に小物入れ１３を引っ張り出すことによって係止を解除することができるように構成してもよい。
【００３６】
また、前記実施形態では、開口４Ａから付属品が出し入れできるように開口４Ａの大きさを設定したが、電動工具本体も取り出すことができるように開口の大きさを設定してもよい。
【００３７】
また、前記実施形態では、小物入れ１３の天面１３ａと一対の外枠部４１，４１の天面４１ａ，４１ａとを略同一高さにするために、一対の外枠部４１，４１の天面４１ａ，４１ａとこれら天面４１ａ，４１ａよりも低い連結部４２，４２の天面４２ａ，４２ａとで蓋体天面を構成したが、一対の外枠部４１，４１の天面４１ａ，４１ａとこれら天面４１ａ，４１ａと略同一高さの連結部４２，４２の天面４２ａ，４２ａとで蓋体天面を構成してもよい。
【００３８】
また、前記実施形態では、バッテリ８は、充電器７に装着された状態で電動工具収納ケース１に収納されていたが、充電器７には装着せず、バッテリ８用の収納部に単体で収納するように構成することもできる。
【００３９】
また、前記実施形態では、小物入れ１３を蓋体４に対して長辺方向の両方向のいずれの方向からもスライドさせて装着可能に構成にしたが、小物入れ１３を蓋体４に対して長辺方向の両方向のいずれかの方向にのみスライドさせて装着可能に構成してもよい。この場合、小物入れ１３を蓋体４に対してスライドさせて装着が完了する位置に小物入れ１３が当接して位置決めされるストッパー（例えば壁体）を設けて実施してもよい。
【００４０】
また、前記実施形態では、収納ケースを、電動工具本体２とその付属品とを収納する収納ケースとして利用したが、スマートホンや、ＰＤＡ（Ｐｅｒｓｏｎａｌ  Ｄｉｇｉｔａｌ  Ａｓｓｉｓｔａｎｔ）、ノートパソコン、パネルパソコンを含む小型な電子機器とその付属品（例えばイヤホン、充電器、スピーカ、配線など）を収納する収納ケースとして利用してもよい。
【符号の説明】
【００４１】
１…電動工具収納ケース、２…電動工具本体、３…本体ケース、３Ａ…本体底面、３Ｂ…周壁部、４…蓋体、４Ａ…開口、５…バッテリ、６…第１収容部、７…充電器（内容物）、８…予備のバッテリ（内容物）、９…第２収容部、１０…第１区画壁部、１０Ａ…突出壁部、１１…第２区画壁部、１１Ａ…第３収容部、１２…把手、１３…小物入れ、１３ａ…天面、１４…バックル、１４Ａ…凹部、１５…被係止部、１６…小物本体部、１６Ａ…底部、１６Ｂ，１６Ｃ，１６Ｄ…側壁部、１６Ｅ…凹部、１６Ｍ…ガイド溝、１７…蓋部材、１８…ヒンジ、１９…ピン、２０…ボタン、２１，２２…リブ、２３…空間、２３Ａ…把手、２４…係合部材、２５，２６…バックル、２５Ａ，２６Ａ…凹部、２７…被係止部、２８…ガイド用突起、２９…ガイド部、２９Ａ…傾斜面、２９Ｂ…凹形状部、３０…トレー、３０Ａ…収容部、３１…カバー部材、３２…爪部、３３…係止部材、４１…外枠部、４１ａ，４２ａ…天面、４１Ａ…内側壁部、４１Ｔ…ガイド用凸条、４２…連結部、Ｘ１，Ｘ２，Ｘ３…軸芯
【図１】
2018012144.tif 000003
【図２】
2018012144.tif 000004
【図３】
2018012144.tif 000005
【図４】
2018012144.tif 000006
【図５】
2018012144.tif 000007
【図６】
2018012144.tif 000008
【図７】
2018012144.tif 000009
【図８】
2018012144.tif 000010
【図９】
2018012144.tif 000011
【図１０】
2018012144.tif 000012
【図１１】
2018012144.tif 000013
【図１２】
2018012144.tif 000014
【図１３】
2018012144.tif 000015
【図１４】
2018012144.tif 000016
【図１５】
2018012144.tif 000017